(57)【特許請求の範囲】
【請求項１】
（１）圧縮符号化された番組のコンテンツと、（２）少なくともＮＩＴ、ＰＡＴ、ＰＭＴを有するプログラム仕様情報と、（３）少なくともＳＤＴ、ＥＩＴを有するサービス情報とを多重化して、トランスポート・ストリームを生成して送信する送信システムから送信されたトランスポート・ストリームを受信する受信部と、
前記ＮＩＴパケット以外のパケットのＰＩＤを、置換対象のＰＩＤとして指定することができるＰＩＤ指定部と、
前記ＰＩＤ指定部により指定されたＰＩＤを格納するリプレースＰＩＤ格納器と、
前記サービス情報からＳＩＴパケットを生成処理するＳＩＴ生成処理部と、
前記リプレースＰＩＤ格納器で指示されたリプレース・パケット、および前記ＮＩＴパケットを前記ＳＩＴパケットでリプレースするパケット抽出置換部とを備えたことを特徴とする受信システム。
【請求項２】
前記送信システムは、前記（１）から（３）以外に置換用のダミー・パケットを生成して、前記ダミー・パケットを前記トランスポート・ストリームに挿入して送信を行い、
前記ＰＩＤ指定部は、そのダミー・パケットのＰＩＤを前記置換対象のＰＩＤとして指定することを特徴とする請求項１記載の受信システム。
【請求項３】
前記送信システムは、前記ＳＩＴパケットの頻度情報を生成し、そのＳＩＴパケットの頻度情報を送信し、
前記ＰＩＤ指定部は、前記ＳＩＴパケットの頻度情報を参照して、前記置換対象のＰＩＤを指定することを特徴とする請求項１又は２記載の受信システム。
【請求項４】
前記受信部により受信したトランスポート・ストリームの表示／記録用の出力の切換えを行う出力切換え手段をさらに備え、
前記ＰＩＤ指定部により指定された置換対象のＰＩＤは、非記録番組のコンテンツをもつパケットのＰＩＤの全部または一部であり、
前記パケット抽出置換部は、非記録番組のコンテンツをもつパケットを前記ＳＩＴパケットでリプレースすることを特徴とする請求項３記載の受信システム。
【請求項５】
前記ＰＩＤ指定部は、非記録番組のコンテンツ、またはＥＩＴ、またはＳＤＴのパケットを指定し、
前記パケット抽出置換部は、前記ＳＩＴパケットの頻度情報を参照して、前記ＰＩＤ指定部により指定されたＰＩＤをもつパケットの中から選択して、前記ＳＩＴパケットでリプレースすることを特徴とする請求項４記載の受信システム。
【請求項６】
（１）圧縮符号化された番組のコンテンツと、（２）少なくともＮＩＴ、ＰＡＴ、ＰＭＴを有するプログラム仕様情報と、（３）少なくともＳＤＴ、ＥＩＴを有するサービス情報とを多重化して、トランスポート・ストリームを生成して送信する送信システムと、
前記送信システムから送信されたトランスポート・ストリームを受信する受信部と、前記ＮＩＴパケット以外のパケットのＰＩＤを、置換対象のＰＩＤとして指定することができるＰＩＤ指定部と、前記ＰＩＤ指定部により指定されたＰＩＤを格納するリプレースＰＩＤ格納器と、前記サービス情報からＳＩＴパケットを生成処理するＳＩＴ生成処理部と、前記リプレースＰＩＤ格納器で指示されたリプレース・パケット、および前記ＮＩＴパケットを前記ＳＩＴパケットでリプレースするパケット抽出置換部とを有する受信システムとを備えたことを特徴とするデジタル放送システム。
【請求項７】
（１）圧縮符号化された番組のコンテンツと、（２）少なくともＮＩＴ、ＰＡＴ、ＰＭＴを有するプログラム仕様情報と、（３）少なくともＳＤＴ、ＥＩＴを有するサービス情報とを多重化して、トランスポート・ストリームを生成して送信する送信システムから送信されたトランスポート・ストリームを受信する受信ステップと、
前記ＮＩＴパケット以外のパケットのＰＩＤを、置換対象のＰＩＤとして指定することができるＰＩＤ指定ステップと、
前記ＰＩＤ指定部により指定されたＰＩＤを格納するリプレースＰＩＤ格納ステップと、
前記サービス情報からＳＩＴパケットを生成処理するＳＩＴ生成処理ステップと、
前記リプレースＰＩＤ格納ステップで指示されたリプレース・パケット、および前記ＮＩＴパケットを前記ＳＩＴパケットでリプレースするパケット抽出置換ステップとを備えたことを特徴とする受信方法。
【発明の詳細な説明】
【０００１】
【発明の属する技術分野】
本発明は、受信システム、デジタル放送システム、および受信方法に関する。
【０００２】
【従来の技術】
ＭＰＥＧ２を利用するデジタル画像・音声技術の開発に伴い、通信衛星によるデジタル多チャンネル放送は、すでに実用化されている。そこで、図９を参照しながら、従来の技術によるデジタル放送システムの構成について説明する。ただし、図９は、従来の技術によるデジタル放送システム１５１の構成図である。
【０００３】
デジタル放送システム１５１は、トランスポート・ストリームを生成して送信する送信システム１０２と、トランスポート・ストリームを受信して、ディスプレイ４あるいは記録装置５に出力するための受信システム１５３とを備えている。また、衛星中継器（トランスポンダ）６は、電波を中継する機器であって、通信衛星７に搭載されている。
【０００４】
つぎに、従来の技術における送信システム１０２の構成について説明する。
【０００５】
送信システム１０２は、番組選択関連データ生成部１０９、パケット多重化部１０などをもつシステムである。
【０００６】
符号化部８は、デジタル映像圧縮符号化を行うＭＰＥＧ２ビデオ・エンコーダ、およびデジタル音声圧縮符号化を行うＭＰＥＧ２オーディオ・エンコーダを有する部分である。すなわち、符号化部８は、番組のコンテンツをもつパケットからなるパケット・ストリームを生成して、パケット多重化部１０に出力する部分である。
【０００７】
番組選択関連データ生成部１０９は、プログラム仕様情報（ＰＳＩ，Ｐｒｏｇｒａｍ  Ｓｐｅｃｉｆｉｃ  Ｉｎｆｏｒｍａｔｉｏｎ）をもつパケット、およびサービス情報（ＳＩ，Ｓｅｒｖｉｃｅ  Ｉｎｆｏｒｍａｔｉｏｎ）をもつパケットからなるパケット・ストリームを生成して、パケット多重化部１０に出力する部分である。ただし、プログラム仕様情報は、ＮＩＴ（Ｎｅｔｗｏｒｋ  Ｉｎｆｏｒｍａｔｉｏｎ  Ｔａｂｌｅ）、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）などによって構成されており、サービス情報は、ＳＤＴ（Ｓｅｒｖｉｃｅ  Ｄｅｓｃｒｉｐｔｉｏｎ  Ｔａｂｌａ）、ＥＩＴ（Ｅｖｅｎｔ  Ｉｎｆｏｒｍａｔｉｏｎ  Ｔａｂｌｅ）などによって構成されている。このように、番組選択関連データ生成部１０９は、番組選択関連データのコンテンツをもつパケットからなるパケット・ストリームを生成して、パケット多重化部１０に出力する部分である。
【０００８】
パケット多重化部１０は、符号化部８から出力される、番組のコンテンツをもつパケットからなるパケット・ストリームと、番組選択関連データ生成部１０９から出力される、番組選択関連データのコンテンツをもつパケットからなるパケット・ストリームとを、一本のトランスポート・ストリームに時分割多重化する部分である。
【０００９】
伝送路符号化部１１は、パケット多重化部１０から出力されるトランスポート・ストリームに、誤り訂正符号付加、インターリーブ処理、および同期信号付加（フレーム化）を行う部分である。ただし、インターリーブ処理は、バイト単位でデータ送出の順序を入れ換えることにより、誤り訂正能力を高めるために行われる。また、同期信号付加は、同期バイトに周期性をもたせることにより、受信システム１５３で同期をとりやすくするために行われる。
【００１０】
変調部１２は、伝送路符号化部１１から出力される信号に、四相位相偏移変調（ＱＰＳＫ，Ｑｕａｄｒａｔｕｒｅ  Ｐｈａｓｅ  Ｓｈｉｆｔ  Ｋｅｙｉｎｇ）などによる変調を施す部分である。ただし、電波１４７は送信電波である。
【００１１】
つぎに、従来の技術における受信システム１５３の構成について説明する。
【００１２】
受信システム１５３は、パケット多重分離部１６６、ストリーム送出処理部１７２などをもつシステムである。
【００１３】
受信部１３は、衛星中継器６より送信される電波１４８を受信する部分である。
【００１４】
復調部１４は、電波１４８を復調する検波回路をもつ部分である。
【００１５】
伝送路復号部１５は、伝送路符号化部１０におけるインターリーブ処理によって、バイト単位で送出の順序を入れ換えられたトランスポート・ストリームを、元通りのトランスポート・ストリームに復元し、復元されたトランスポート・ストリームに誤り訂正を行う部分である。
【００１６】
パケット多重分離部１６６は、ＰＩＤフィルタ１６９などを有する部分である。
【００１７】
ＰＩＤ指定部１７８は、記録番組のコンテンツをもつパケットのＰＩＤを、記録ＰＩＤ格納器１８に指定することができる部分である。また、ＰＩＤ指定部１７８は、ＮＩＴ  ＰＩＤ（すなわちＮＩＴパケットのＰＩＤ）を、ＮＩＴ  ＰＩＤ格納器２３に指定することができる部分である。ただし、後述されるように、記録番組は、外部からの指示により選択される番組である。
【００１８】
記録ＰＩＤ格納器１８は、ＰＩＤ指定部１７８から信号を入力し、記録番組のコンテンツをもつパケットのＰＩＤを格納する機器である。
【００１９】
ＰＩＤフィルタ１６９は、伝送路復号部１５から出力されるトランスポート・ストリームから、記録ＰＩＤ格納器１８によって指摘される記録番組のコンテンツをもつパケット、プログラム仕様情報をもつパケット、およびサービス情報をもつパケットを、それぞれ抽出する機器である。ただし、ＰＩＤフィルタ１６９は、プログラム仕様情報をもつパケット、およびサービス情報をもつパケットを、そのまま通過させる機能をもっている。
【００２０】
出力切り替え回路２０は、ＰＩＤフィルタ１６９から出力されるトランスポート・ストリームの、表示／記録用の出力切り替えを行う回路である。
【００２１】
ＳＩＴ（Ｓｅｌｅｃｔｉｏｎ  Ｉｎｆｏｒｍａｔｉｏｎ  Ｔａｂｌｅ）生成処理部２１は、ＰＩＤフィルタ１６９から出力されるサービス情報から、ＳＩＴパケットを生成処理する部分である。
【００２２】
ストリーム送出処理部１７２は、ＳＩＴパケット置換器１７６などを有する部分である。
【００２３】
ＮＩＴ  ＰＩＤ格納器２３は、ＰＩＤ指定部１７８から信号を入力し、ＮＩＴＰＩＤを格納する機器である。なお、後に説明されるように、ＮＩＴパケットは、ＳＩＴパケットでリプレースすることのできるリプレース・パケットとして使用される。
【００２４】
ＳＩＴ格納器２５は、ＳＩＴ生成処理部２１によって生成処理されるＳＩＴパケットを格納する機器である。
【００２５】
ＳＩＴパケット置換器１７６は、ＮＩＴ  ＰＩＤ格納器２５によって指摘されるＮＩＴパケットを、ＳＩＴ格納器２５から出力されるＳＩＴパケットでリプレースすることができる機器である。
【００２６】
パケット改変部２９は、ＳＩＴパケット置換器１７６から出力された信号を入力し、パケットの改変を行って、記録用のトランスポート・ストリームを作成することができる部分である。なお、この生成されたトランスポート・ストリームは、記録装置５に出力される。
【００２７】
復号部２７は、出力切り替え回路２０から入力される、圧縮符号化された映像信号の伸張を行うＭＰＥＧ２ビデオ・デコーダ、および出力切り替え回路２０から入力される、圧縮符号化された音声信号の伸張を行うＭＰＥＧ２オーディオ・デコーダを有する部分である。すなわち、復号部２７は、圧縮符号化された番組のコンテンツをもつ表示用のトランスポート・ストリームの伸張を行い、ディスプレイ４に出力する部分である。なお、表示用のトランスポート・ストリームは、映像、音声のコンテンツを含むトランスポート・パケットから構成されている。
【００２８】
ディスプレイ４は、復号部２７から出力される映像信号を再生するブラウン管、および復号部２７から出力される音声信号を再生するスピーカを有する装置である。
【００２９】
記録装置５は、ＳＩＴパケット置換器１７６より出力される記録用のトランスポート・ストリームを記録する装置である。
【００３０】
このような構成を有する、従来の技術におけるデジタル放送システム１５１の動作について、図１０も参照しながら説明する。ただし、図１０は、放送されるトランスポート・ストリーム１４４から記録用のトランスポート・ストリーム１９６が生成される過程を説明する概念図である。
【００３１】
ここで、従来の技術における送信システム１０２の動作について、詳しく説明する。
【００３２】
符号化部８は、番組Ａのコンテンツをもつパケット１３０、１３８からなるパケット・ストリーム、および番組Ｂのコンテンツをもつパケット１３１、１３５、１３９からなるパケット・ストリームを生成して、これらをパケット多重化部１０に出力する。
【００３３】
番組選択関連データ生成部１０９は、ＰＡＴパケット１３２、ＰＭＴパケット１３７、ＮＩＴパケット１３４、ＳＤＴパケット１３６、ＥＩＴパケット１３３からなるパケット・ストリームを生成して、これらをパケット多重化部１０に出力する。
【００３４】
パケット多重化部１０は、符号化部８から出力されるパケット・ストリームと、番組選択関連データ生成部１０９から出力されるパケット・ストリームとを多重化することにより、トランスポート・ストリーム１４４を生成して、これを伝送路符号化部１１に出力する。
【００３５】
伝送路符号化部１１は、パケット多重化部１０から出力されるトランスポート・ストリームに誤り訂正符号付加、インターリーブ処理、同期信号付加を行い、これを変調部１２に出力する。
【００３６】
変調部１２は、伝送路符号化部１１から出力されるトランスポート・ストリームに、四相位相偏移変調による変調を施し、電波１４７をアンテナより送信する。
【００３７】
衛星中継器６は、電波１４７を受信し、電波１４８を送信する。
【００３８】
つぎに、従来の技術における受信システム１５３の動作について、詳しく説明する。
【００３９】
受信システム１５３は、外部からの指示により、番組Ａを記録番組として選択することにより、受信動作を開始する。すなわち、受信システム１５３は、衛星中継器６から電波１４８を受信し、そのトランスポート・ストリーム中のＰＡＴ内の情報を参照して、ＰＭＴを検出する。ＰＭＴは、番組Ａに関連するストリームが伝送されるパケットのＰＩＤをもっている。ＰＩＤ指定部１７８は、記録番組のコンテンツをもつパケット１３０、１３８のＰＩＤを認識し、記録ＰＩＤ格納器１８への信号出力を行う。また、ＰＩＤ指定部１７８は、ＮＩＴパケット１３４のＰＩＤを認識し、ＮＩＴ  ＰＩＤ格納器２３へも信号出力を行う。
【００４０】
記録ＰＩＤ格納器１８は、ＰＩＤ指定部１７８から信号を入力し、番組Ａのコンテンツをもつパケット１３０、１３８のＰＩＤを格納する。また、ＮＩＴ  ＰＩＤ格納器２３は、ＰＩＤ指定部１７８から信号を入力し、ＮＩＴパケット１３４のＰＩＤを格納する。
【００４１】
受信部１３は、電波１４８を受信し、これを復調部１４に出力する。
【００４２】
復調部１４は、受信部１３で受信された電波１４８を復調して得られるトランスポート・ストリームを、伝送路復号部１５に出力する。
【００４３】
伝送路復号部１５は、復調部１４より出力されたトランスポート・ストリームに誤り訂正を行い、トランスポート・ストリーム１４４を復元して、これをＰＩＤフィルタ１６９に出力する。
【００４４】
すでに説明されたように、記録ＰＩＤ格納器１８は、番組Ａのコンテンツをもつパケット１３０、１３８のＰＩＤを格納している。したがって、記録ＰＩＤ格納器１８は、番組Ａのコンテンツをもつパケット１３０、１３８を、ＰＩＤフィルタ１６９に指摘することが可能である。
【００４５】
ＰＩＤフィルタ１６９は、伝送路復号部１５から出力されるトランスポート・ストリーム１４４から、記録ＰＩＤ格納器１８によって指摘される番組Ａのコンテンツをもつパケット１３０、１３８を抽出する。また、ＰＩＤフィルタ１６９は、伝送路復号部１５から出力されるトランスポート・ストリーム１４４から、ＰＡＴパケット１３２、ＰＭＴパケット１３７、ＮＩＴパケット１３４、ＳＤＴパケット１３６、ＥＩＴパケット１３３を抽出する。
【００４６】
ＰＩＤフィルタ１６９は、このようにして、ＳＤＴ、ＥＩＴをＳＩＴ生成処理部２１に出力する。また、ＰＩＤフィルタ１６９は、番組Ａのコンテンツをもつパケット１３０、１３８、ＰＡＴパケット１３２、ＰＭＴパケット１３７、ＮＩＴパケット１３４、ＳＤＴパケット１３６、ＥＩＴパケット１３３から構成されるトランスポート・ストリーム１９５を、出力切り替え回路２０に出力する。
【００４７】
ＳＩＴ生成処理部２１は、ＰＩＤフィルタ１６９から出力されるＳＤＴ、ＥＩＴを咀嚼して必要なサービス情報からＳＩＴパケット１４１、１４２を生成処理して、それらをＳＩＴ格納器２５に出力する。ＳＩＴ格納器２５は、ＳＩＴ生成処理部２１から出力されるＳＩＴパケット１４１、１４２を、ＳＩＴパケット置換器１７６に出力する。
【００４８】
出力切り替え回路２０は、ＰＩＤフィルタ１６９から出力されるトランスポート・ストリーム１９５を入力する。
【００４９】
出力切り替え回路２０における出力切り替えが表示用になっているとき、出力切り替え回路２０は、表示用のトランスポート・ストリームを、復号部２７に出力する。なお、表示用のトランスポート・ストリームは、ＰＭＴ内の情報を参照してフィルタリングされた、番組Ａのコンテンツをもつパケット１３０、１３８から構成されている。
【００５０】
復号部２７は、出力切り替え回路２０から出力される表示用のトランスポート・ストリームを伸張し、それをディスプレイ４に信号出力する。
【００５１】
ディスプレイ４は、復号部２７から出力される信号を入力し、番組Ａを構成する映像、音声を再生する。
【００５２】
出力切り替え回路２０における出力切り替えが記録用になっているとき、出力切り替え回路２０は、トランスポート・ストリーム１９５を、ＳＩＴパケット置換器１７６に出力する。
【００５３】
すでに説明されたように、ＮＩＴ  ＰＩＤ格納器２３は、ＮＩＴパケット１３４のＰＩＤを格納している。したがって、ＮＩＴ  ＰＩＤ格納器２３は、ＮＩＴパケット１３４を、ＳＩＴパケット置換器１７６に指摘することが可能である。
【００５４】
ＳＩＴパケット置換器１７６は、出力切り替え回路２０から出力されるトランスポート・ストリーム１９５を入力する。ＳＩＴパケット置換器１７６は、ＮＩＴ  ＰＩＤ格納器２３によって指摘されるＮＩＴパケット１３４を、ＳＩＴ格納器２５から出力されるＳＩＴパケット１４１によってリプレースする。
【００５５】
ＳＩＴパケット置換器１２６は、このようにして、ＳＩＴパケット１４１によるＮＩＴパケット１３４のリプレースを行い、パケット改変部２９に信号を出力する。
【００５６】
パケット改変部２９は、ＳＩＴパケット置換器１７６から出力された信号を入力し、トランスポート・ストリーム１９５を正しく表す仕様情報のみを選択することにより、ＰＡＴパケット１３２を改ＰＡＴパケット１４０に改変し、ＰＭＴパケット１３７を改ＰＭＴパケット１４３に改変する。また、パケット改変部２９は、ＳＤＴパケット１３６、ＥＩＴパケット１３３を破棄する。
【００５７】
パケット改変部２９は、このようにして、記録用のトランスポート・ストリーム１９６を生成し、これを記録装置５に出力する。
【００５８】
記録装置５は、パケット改変部２９から出力されるトランスポート・ストリーム１９６を入力し、これを記録する。
【００５９】
【発明が解決しようとする課題】
ところで、ＮＩＴパケットの伝送頻度は、放送メディアによっては１０秒間に１回程度にすぎない場合がある。この伝送頻度は、ＳＩＴパケットでリプレースすることのできるリプレース・パケットの伝送頻度としては、不十分である。
【００６０】
上記においては、ＳＩＴパケット１４２でリプレースすることのできるＮＩＴパケットが、トランスポート・ストリーム１９５中に存在していない。このため、ＳＩＴパケット１４２を、記録用のトランスポート・ストリーム１９６に繰り込むことは、不可能である。したがって、ＳＩＴパケット１４２は、破棄されてしまう。
【００６１】
本発明は、このような課題を考慮し、ＳＩＴパケットでリプレースすることのできるリプレース・パケットを確実に確保できる受信システム、デジタル放送システム、および受信方法を提供することを目的とするものである。
【００６２】
【課題を解決するための手段】
第一の本発明は、（１）圧縮符号化された番組のコンテンツと、（２）少なくともＮＩＴ、ＰＡＴ、ＰＭＴを有するプログラム仕様情報と、（３）少なくともＳＤＴ、ＥＩＴを有するサービス情報とを多重化して、トランスポート・ストリームを生成して送信する送信システムから送信されたトランスポート・ストリームを受信する受信部と、
前記ＮＩＴパケット以外のパケットのＰＩＤを、置換対象のＰＩＤとして指定することができるＰＩＤ指定部と、
前記ＰＩＤ指定部により指定されたＰＩＤを格納するリプレースＰＩＤ格納器と、
前記サービス情報からＳＩＴパケットを生成処理するＳＩＴ生成処理部と、
前記リプレースＰＩＤ格納器で指示されたリプレース・パケット、および前記ＮＩＴパケットを前記ＳＩＴパケットでリプレースするパケット抽出置換部とを備えたことを特徴とする受信システムである。
【００６３】
第二の本発明は、前記送信システムは、前記（１）から（３）以外に置換用のダミー・パケットを生成して、前記ダミー・パケットを前記トランスポート・ストリームに挿入して送信を行い、
前記ＰＩＤ指定部は、そのダミー・パケットのＰＩＤを前記置換対象のＰＩＤとして指定することを特徴とする第一の本発明の受信システムである。
【００６４】
第三の本発明は、前記送信システムは、前記ＳＩＴパケットの頻度情報を生成し、そのＳＩＴパケットの頻度情報を送信し、
前記ＰＩＤ指定部は、前記ＳＩＴパケットの頻度情報を参照して、前記置換対象のＰＩＤを指定することを特徴とする第一又は二の本発明の受信システムである。
【００６５】
第四の本発明は、前記受信部により受信したトランスポート・ストリームの表示／記録用の出力の切換えを行う出力切換え手段をさらに備え、
前記ＰＩＤ指定部により指定された置換対象のＰＩＤは、非記録番組のコンテンツをもつパケットのＰＩＤの全部または一部であり、
前記パケット抽出置換部は、非記録番組のコンテンツをもつパケットを前記ＳＩＴパケットでリプレースすることを特徴とする第三の本発明の受信システムである。
【００６６】
第五の本発明は、前記ＰＩＤ指定部は、非記録番組のコンテンツ、またはＥＩＴ、またはＳＤＴのパケットを指定し、
前記パケット抽出置換部は、前記ＳＩＴパケットの頻度情報を参照して、前記ＰＩＤ指定部により指定されたＰＩＤをもつパケットの中から選択して、前記ＳＩＴパケットでリプレースすることを特徴とする第四の本発明の受信システムである。
【００６７】
第六の本発明は、（１）圧縮符号化された番組のコンテンツと、（２）少なくともＮＩＴ、ＰＡＴ、ＰＭＴを有するプログラム仕様情報と、（３）少なくともＳＤＴ、ＥＩＴを有するサービス情報とを多重化して、トランスポート・ストリームを生成して送信する送信システムと、
前記送信システムから送信されたトランスポート・ストリームを受信する受信部と、前記ＮＩＴパケット以外のパケットのＰＩＤを、置換対象のＰＩＤとして指定することができるＰＩＤ指定部と、前記ＰＩＤ指定部により指定されたＰＩＤを格納するリプレースＰＩＤ格納器と、前記サービス情報からＳＩＴパケットを生成処理するＳＩＴ生成処理部と、前記リプレースＰＩＤ格納器で指示されたリプレース・パケット、および前記ＮＩＴパケットを前記ＳＩＴパケットでリプレースするパケット抽出置換部とを有する受信システムとを備えたことを特徴とするデジタル放送システムである。
【００６８】
第七の本発明は、（１）圧縮符号化された番組のコンテンツと、（２）少なくともＮＩＴ、ＰＡＴ、ＰＭＴを有するプログラム仕様情報と、（３）少なくともＳＤＴ、ＥＩＴを有するサービス情報とを多重化して、トランスポート・ストリームを生成して送信する送信システムから送信されたトランスポート・ストリームを受信する受信ステップと、
前記ＮＩＴパケット以外のパケットのＰＩＤを、置換対象のＰＩＤとして指定することができるＰＩＤ指定ステップと、
前記ＰＩＤ指定部により指定されたＰＩＤを格納するリプレースＰＩＤ格納ステップと、
前記サービス情報からＳＩＴパケットを生成処理するＳＩＴ生成処理ステップと、
前記リプレースＰＩＤ格納ステップで指示されたリプレース・パケット、および前記ＮＩＴパケットを前記ＳＩＴパケットでリプレースするパケット抽出置換ステップとを備えたことを特徴とする受信方法である。
【００６９】
【発明の実施の形態】
以下では、当該発明にかかる実施の形態について、図面を参照しつつ説明を行う。
（実施の形態１）
はじめに、図１を参照しながら、本実施の形態１におけるデジタル放送システムの構成について説明する。ただし、図１は、本実施の形態１におけるデジタル放送システム１の構成図である。
【００７０】
デジタル放送システム１は、トランスポート・ストリームを生成して送信する送信システム２と、トランスポート・ストリームを受信して、ディスプレイ４あるいは記録装置５に出力するための受信システム３とを備えている。また、衛星中継器（トランスポンダ）６は、電波を中継する機器であって、通信衛星７に搭載されている。
【００７１】
つぎに、本実施の形態１における送信システム２の構成について、図２を参照しながら、詳細に説明する。ただし、図２は、本実施の形態１における送信システム２の構成図である。
【００７２】
送信システム２は、番組選択関連データ生成部９、パケット多重化部１０などをもつシステムである。
【００７３】
符号化部８は、デジタル映像圧縮符号化を行うＭＰＥＧ２ビデオ・エンコーダ、およびデジタル音声圧縮符号化を行うＭＰＥＧ２オーディオ・エンコーダを有する部分である。すなわち、符号化部８は、番組のコンテンツをもつパケットからなるパケット・ストリームを生成して、パケット多重化部１０に出力する部分である。
【００７４】
番組選択関連データ生成部９は、プログラム仕様情報をもつパケット、サービス情報をもつパケット、および各番組用ダミー・パケットからなるパケット・ストリームを生成して、パケット多重化部１０に出力する部分である。また、各番組用ダミー・パケットのＰＩＤを受信システム３にあらかじめ通知するためのデータをもつパケットも、番組選択関連データ生成部９によって生成され、パケット多重化部１０に出力されている。なお、各番組用ダミー・パケットのＰＩＤも、番組を構成するデータのＰＩＤと同様に、ＰＭＴで指定される。このように、番組選択関連データ生成部９は、番組選択関連データのコンテンツをもつパケットからなるパケット・ストリームを生成して、パケット多重化部１０に出力する部分である。
【００７５】
パケット多重化部１０は、符号化部８から出力される、番組のコンテンツをもつパケットからなるパケット・ストリームと、番組選択関連データ生成部９から出力される、番組選択関連データのコンテンツをもつパケットからなるパケット・ストリームとを、一本のトランスポート・ストリームに時分割多重化する部分である。
【００７６】
伝送路符号化部１１は、パケット多重化部１０から出力されるトランスポート・ストリームに誤り訂正符号を付加し、さらに、インターリーブ処理、および同期信号付加を行う部分である。
【００７７】
変調部１２は、伝送路符号化部１１から出力されるトランスポート・ストリームを変調し、アンテナより電波４７を送信する部分である。
【００７８】
つぎに、本実施の形態１における受信システム３の構成について、図３を参照しながら、詳細に説明する。ただし、図３は、本実施の形態１における受信システム３の構成図である。
【００７９】
受信システム３は、パケット多重分離部１６、ストリーム送出処理部２２などをもつシステムである。
【００８０】
受信部１３は、衛星中継器６（図１に示されている）より送信される電波４８を受信する部分である。
【００８１】
復調部１４は、電波４８を復調する検波回路をもつ部分である。
【００８２】
伝送路復号部１５は、伝送路符号化部１１においてインターリーブ処理されたトランスポート・ストリームを、元通りのトランスポート・ストリームに復元し、復元されたトランスポート・ストリームに誤り訂正を行う部分である。
【００８３】
パケット多重分離部１６は、ＰＩＤフィルタ１９などを有する部分である。
【００８４】
ＰＩＤ指定部２８は、記録番組用ダミー・パケットのＰＩＤ（以下記録番組用ダミーＰＩＤともいう）を、第一のリプレースＰＩＤ格納器１７、および第二のリプレースＰＩＤ格納器２４に指定することができる部分である。ただし、後述されるように、記録番組は、外部からの指示により選択される番組である。
【００８５】
第一のリプレースＰＩＤ格納器１７は、ＰＩＤ指定部２８から信号を入力し、記録番組用ダミーＰＩＤを格納する機器である。なお、第一のリプレースＰＩＤ格納器１７に格納されている記録番組用ダミーＰＩＤは、第二のリプレースＰＩＤ格納器２４に格納されている記録番組用ダミーＰＩＤと同じものである。
【００８６】
記録ＰＩＤ格納器１８は、ＰＩＤ指定部２８から信号を入力し、記録番組のコンテンツをもつパケットのＰＩＤを格納する機器である。
【００８７】
ＰＩＤフィルタ１９は、伝送路復号部１５から出力されるトランスポート・ストリームから、記録ＰＩＤ格納器１８によって指摘される記録番組のコンテンツをもつパケット、第一のリプレースＰＩＤ格納器１７によって指摘される記録番組用ダミー・パケット、プログラム仕様情報をもつパケット、およびサービス情報をもつパケットを、それぞれ抽出する機器である。ただし、ＰＩＤフィルタ１６９は、プログラム仕様情報をもつパケット、およびサービス情報をもつパケットを、そのまま通過させる機能をもっている。
【００８８】
出力切り替え回路２０は、ＰＩＤフィルタ１９から出力されるトランスポート・ストリームの、表示／記録用の出力切り替えを行う回路である。
【００８９】
ＳＩＴ生成処理部２１は、ＰＩＤフィルタ１９から出力されるＳＤＴ、ＥＩＴから、ＳＩＴパケットを生成処理する部分である。
【００９０】
ストリーム送出処理部２２は、ＳＩＴパケット置換器２６などを有する部分である。
【００９１】
ＮＩＴ  ＰＩＤ格納器２３は、ＰＩＤ指定部２８から信号を入力し、ＮＩＴ  ＰＩＤを格納する機器である。
【００９２】
第二のリプレースＰＩＤ格納器２４は、ＰＩＤ指定部２８から信号を入力し、記録番組用ダミーＰＩＤを格納する機器である。なお、第二のリプレースＰＩＤ格納器２４に格納されている記録番組用ダミーＰＩＤは、第一のリプレースＰＩＤ格納器１７に格納されている記録番組用ダミーＰＩＤと同じものである。
【００９３】
ＳＩＴ格納器２５は、ＳＩＴ生成処理部２１によって生成処理されるＳＩＴパケットを格納する機器である。
【００９４】
ＳＩＴパケット置換器２６は、ＮＩＴ  ＰＩＤ格納器２３によって指摘されるＮＩＴパケット、および第二のリプレースＰＩＤ格納器２４によって指摘される記録番組用ダミー・パケットを、ＳＩＴ格納器２５から出力されるＳＩＴパケットでリプレースすることができる機器である。
【００９５】
パケット改変部２９は、ＳＩＴパケット置換器２６から出力された信号を入力し、パケットの改変を行って、記録用のトランスポート・ストリームを作成することができる部分である。なお、この生成されたトランスポート・ストリームは、記録装置５に出力される。
【００９６】
復号部２７は、出力切り替え回路２０から入力される、圧縮符号化された映像信号の伸張を行うＭＰＥＧ２ビデオ・デコーダ、および出力切り替え回路２０から入力される、圧縮符号化された音声信号の伸張を行うＭＰＥＧ２オーディオ・デコーダを有する部分である。すなわち、復号部２７は、圧縮符号化された番組のコンテンツをもつ表示用のトランスポート・ストリームの伸張を行い、ディスプレイ４に出力する部分である。
【００９７】
このような構成を有する、本実施の形態１におけるデジタル放送システム１の動作について、図４も参照しながら説明する。ただし、図４は、放送されるトランスポート・ストリーム４４から、パケット多重分離部１６において処理されたトランスポート・ストリーム４５を経て、記録用のトランスポート・ストリーム４６が生成される過程を説明する概念図である。
【００９８】
ここで、本実施の形態１における送信システム２の動作について、図２および図４を参照しながら、詳細に説明する。
【００９９】
符号化部８は、番組Ａのコンテンツをもつパケット３０、３８からなるパケット・ストリーム、および番組Ｂのコンテンツをもつパケット３１からなるパケット・ストリームを生成して、これらをパケット多重化部１０に出力する。
【０１００】
番組選択関連データ生成部９は、ＰＡＴパケット３２、ＰＭＴパケット３７、ＮＩＴパケット３４、ＳＤＴパケット３６、ＥＩＴパケット３３、番組Ａ用ダミー・パケット３９、番組Ｂ用ダミー・パケット３５からなるパケット・ストリームを生成して、これらをパケット多重化部１０に出力する。
【０１０１】
パケット多重化部１０は、符号化部８から出力されるパケット・ストリームと、番組選択関連データ生成部９から出力されるパケット・ストリームとを多重化することにより、トランスポート・ストリーム４４を生成して、これを伝送路符号化部１１に出力する。
【０１０２】
伝送路符号化部１１は、パケット多重化部１０から出力されるトランスポート・ストリーム４４に誤り訂正符号付加、インターリーブ処理、同期信号付加を行い、これを変調部１２に出力する。
【０１０３】
変調部１２は、伝送路符号化部１１から出力されるトランスポート・ストリームに、四相位相偏移変調による変調を施し、電波４７をアンテナより送信する。
【０１０４】
衛星中継器６（図１に示されている）は、電波４７（図１に示されている）を受信し、電波４８（図１に示されている）を送信する。
【０１０５】
つぎに、本実施の形態１における受信システム３の動作について、図３および図４を参照しながら、詳細に説明する。
【０１０６】
受信システム３は、外部からの指示により、番組Ａを本実施の形態１における記録番組として選択することにより、受信動作を開始する。すなわち、受信システム３は、衛星中継器６から電波４８を受信し、そのトランスポート・ストリーム中のＰＡＴ内の情報を参照して、ＰＭＴを検出する。ＰＩＤ指定部２８は、記録番組用ダミー・パケット３９のＰＩＤを認識し、第一のリプレースＰＩＤ格納器１７、第二のリプレースＰＩＤ格納器２４への信号出力を行う。また、ＰＩＤ指定部２８は、記録ＰＩＤ格納器１８、ＮＩＴ  ＰＩＤ格納器２３への信号出力も行う。
【０１０７】
記録ＰＩＤ格納器１８は、ＰＩＤ指定部２８から信号を入力し、番組Ａのコンテンツをもつパケット３０、３８のＰＩＤを格納する。また、第一のリプレースＰＩＤ格納器１７は、ＰＩＤ指定部２８から信号を入力し、番組Ａ用ダミー・パケット３９のＰＩＤを格納する。また、ＮＩＴ  ＰＩＤ格納器２３は、ＰＩＤ指定部２８から信号を入力し、ＮＩＴパケット３４のＰＩＤを格納する。また、第二のリプレースＰＩＤ格納器２４は、ＰＩＤ指定部２８から信号を入力し、番組Ａ用ダミー・パケット３９のＰＩＤを格納する。
【０１０８】
受信部１３は、電波４８を受信し、これを復調部１４に出力する。
【０１０９】
復調部１４は、受信部１３で受信された電波４８を復調して得られるトランスポート・ストリームを、伝送路復号部１５に出力する。
【０１１０】
伝送路復号部１５は、復調部１４より出力されたトランスポート・ストリームに誤り訂正を行い、トランスポート・ストリーム４４を復元して、これをＰＩＤフィルタ１９に出力する。
【０１１１】
すでに説明されたように、記録ＰＩＤ格納器１８は、番組Ａのコンテンツをもつパケット３０、３８のＰＩＤを格納している。また、第一のリプレースＰＩＤ格納器１７は、番組Ａ用ダミー・パケット３９のＰＩＤを、リプレースＰＩＤとして格納している。
【０１１２】
したがって、記録ＰＩＤ格納器１８は、番組Ａのコンテンツをもつパケット３０、３８を、ＰＩＤフィルタ１９に指摘することが可能である。また、第一のリプレースＰＩＤ格納器１７は、番組Ａ用ダミー・パケット３９を、ＰＩＤフィルタ１９に指摘することが可能である。
【０１１３】
ＰＩＤフィルタ１９は、伝送路復号部１５から出力されるトランスポート・ストリーム４４から、記録ＰＩＤ格納器１８によって指摘される番組Ａのコンテンツをもつパケット３０、３８、第一のリプレースＰＩＤ格納器１７によって指摘される番組Ａ用ダミー・パケット３９を抽出する。また、ＰＩＤフィルタ１９は、伝送路復号部１５から出力されるトランスポート・ストリーム４４から、ＰＡＴパケット３２、ＰＭＴパケット３７、ＮＩＴパケット３４、ＳＤＴパケット３６、ＥＩＴパケット３３を抽出する。
【０１１４】
ＰＩＤフィルタ１９は、このようにして、ＳＤＴ、ＥＩＴをＳＩＴ生成処理部２１に出力する。また、ＰＩＤフィルタ１９は、番組Ａのコンテンツをもつパケット３０、３８、番組Ａ用ダミー・パケット３９、ＰＡＴパケット３２、ＰＭＴパケット３７、ＮＩＴパケット３４、ＳＤＴパケット３６、ＥＩＴパケット３３から構成されるトランスポート・ストリーム４５を、出力切り替え回路２０に出力する。
【０１１５】
ＳＩＴ生成処理部２１は、ＰＩＤフィルタ１９から出力されるＳＤＴ、ＥＩＴを入力し、ＳＩＴパケット４１、４３を生成処理して、それらをＳＩＴ格納器２５に出力する。ＳＩＴ格納器２５は、ＳＩＴ生成処理部２１から出力されるＳＩＴパケット４１、４３を、ＳＩＴパケット置換器２６に出力する。
【０１１６】
出力切り替え回路２０は、ＰＩＤフィルタ１９から出力されるトランスポート・ストリーム４５を入力する。
【０１１７】
出力切り替え回路２０における出力切り替えが表示用になっているとき、出力切り替え回路２０は、表示用のトランスポート・ストリームを、復号部２７に出力する。
【０１１８】
復号部２７は、出力切り替え回路２０から出力される表示用のトランスポート・ストリームを伸張し、それをディスプレイ４に信号出力する。
【０１１９】
ディスプレイ４は、復号部２７から出力される信号を入力し、番組Ａを構成する映像、音声を表示する。
【０１２０】
出力切り替え回路２０における出力切り替えが記録用になっているとき、出力切り替え回路２０は、トランスポート・ストリーム４５を、ＳＩＴパケット置換器２６に出力する。
【０１２１】
すでに説明されたように、ＮＩＴ  ＰＩＤ格納器２３は、ＮＩＴパケット３４のＰＩＤを格納している。また、第二のリプレースＰＩＤ格納器２４は、番組Ａ用ダミー・パケット３９のＰＩＤを格納している。
【０１２２】
したがって、ＮＩＴ  ＰＩＤ格納器２３は、ＮＩＴパケット３４を、ＳＩＴパケット置換器２６に指摘することが可能である。また、第二のリプレースＰＩＤ格納器２４は、番組Ａ用ダミー・パケット３９を、ＳＩＴパケット置換器２６に指摘することが可能である。
【０１２３】
ＳＩＴパケット置換器２６は、出力切り替え回路２０から出力されるトランスポート・ストリーム４５を入力する。ＳＩＴパケット置換器２６は、ＮＩＴ  ＰＩＤ格納器２３によって指摘されるＮＩＴパケット３４を、ＳＩＴ格納器２５から出力されるＳＩＴパケット４１によってリプレースする。また、ＳＩＴパケット置換器２６は、第二のリプレースＰＩＤ格納器２４によって指摘される番組Ａ用ダミー・パケット３９を、ＳＩＴ格納器２５から出力されるＳＩＴパケット４３によってリプレースする。
【０１２４】
ＳＩＴパケット置換器２６は、このようにして、ＳＩＴパケット４１によるＮＩＴパケット３４のリプレース、およびＳＩＴパケット４２による番組Ａ用ダミー・パケット３９のリプレースを行い、パケット改変部２９に信号を出力する。
【０１２５】
パケット改変部２９は、ＳＩＴパケット置換器２６から出力された信号を入力し、トランスポート・ストリーム４５を正しく表す仕様情報のみを選択することにより、ＰＡＴパケット３２を改ＰＡＴパケット４０に改変し、ＰＭＴパケット３７を改ＰＭＴパケット４２に改変する。また、パケット改変部２９は、ＳＤＴパケット３６、ＥＩＴパケット３３を破棄する。パケット改変部２９は、このようにして、記録用のトランスポート・ストリーム４６を生成し、これを記録装置５に出力する。
【０１２６】
記録装置５は、パケット改変部２９から出力されるトランスポート・ストリーム４６を入力し、これを記録する。
【０１２７】
なお、本発明における各番組用ダミー・パケットのＰＩＤは、上述した本実施の形態１におけるように、ＰＭＴで指定される必要はなく、ＳＤＴあるいはＥＩＴの記述子領域に、記述子として記述されていてもよい。
【０１２８】
このように、ＳＩＴパケットでリプレースすることのできる各番組用ダミー・パケットを、送信システムから伝送することにより、リプレース・パケットとしてのＮＩＴパケット伝送頻度が不十分であるという課題が解決されている。
【０１２９】
（実施の形態２）
はじめに、図５を参照しながら、本実施の形態２におけるデジタル放送システムの構成について説明する。ただし、図５は、本実施の形態２におけるデジタル放送システム５１の構成図である。
【０１３０】
デジタル放送システム５１は、トランスポート・ストリームを生成して送信する送信システム５２と、トランスポート・ストリームを受信して、ディスプレイ４あるいは記録装置５に出力するための受信システム５３とを備えている。
【０１３１】
つぎに、本実施の形態２における送信システム５２の構成について説明する。
【０１３２】
送信システム５２は、番組選択関連データ生成部５９、パケット多重化部１０などをもつシステムである。
【０１３３】
番組選択関連データ生成部５９は、プログラム仕様情報をもつパケット、およびサービス情報をもつパケットからなるパケット・ストリームを生成して、パケット多重化部１０に出力する部分である。また、ＳＩＴの適切な記録頻度を指示するＳＩＴ記録頻度データをもつパケットも、番組選択関連データ生成部５９によって生成され、パケット多重化部１０に出力されている。なお、ＳＩＴの適切な記録頻度を指示するＳＩＴ記録頻度データは、ＳＤＴあるいはＥＩＴの記述子領域に、記述子として記述されている。
【０１３４】
つぎに、本実施の形態２における受信システム５３の構成について説明する。
【０１３５】
受信システム５３は、パケット多重分離部６６、ストリーム送出処理部７２などをもつシステムである。
【０１３６】
パケット多重分離部６６は、ＰＩＤフィルタ６９などを有する部分である。
【０１３７】
ＰＩＤ指定部７８は、非記録番組のコンテンツをもつパケットのＰＩＤ（以下非記録ＰＩＤともいう）を、番組選択関連データ生成部５９より出力されるＳＩＴ記録頻度データを参照して、第一のリプレースＰＩＤ格納器６７、および第二のリプレースＰＩＤ格納器７４に指定することができる機器である。
【０１３８】
第一のリプレースＰＩＤ格納器６７は、ＰＩＤ指定部７８から信号を入力し、非記録ＰＩＤを格納する機器である。なお、第一のリプレースＰＩＤ格納器６７に格納されている非記録ＰＩＤは、第二のリプレースＰＩＤ格納器７４に格納されている非記録ＰＩＤと同じものである。
【０１３９】
ＰＩＤフィルタ６９は、伝送路復号部１５から出力されるトランスポート・ストリームから、記録ＰＩＤ格納器１８によって指摘される記録番組のコンテンツをもつパケット、第一のリプレースＰＩＤ格納器６７によって指摘される非記録番組のコンテンツをもつパケット、プログラム仕様情報をもつパケット、およびサービス情報をもつパケットを、それぞれ抽出する機器である。
【０１４０】
ストリーム送出処理部７２は、ＳＩＴパケット置換器７６などを有する部分である。
【０１４１】
第二のリプレースＰＩＤ格納器７４は、ＰＩＤ指定部７８から信号を入力し、非記録ＰＩＤを格納する機器である。なお、第二のリプレースＰＩＤ格納器７４に格納されている非記録ＰＩＤは、第一のリプレースＰＩＤ格納器６７に格納されている非記録ＰＩＤと同じものである。
【０１４２】
ＳＩＴパケット置換器７６は、ＮＩＴ  ＰＩＤ格納器２３によって指摘されるＮＩＴパケット、および第二のリプレースＰＩＤ格納器７４によって指摘される非記録番組のコンテンツをもつパケットを、ＳＩＴ格納器２５から出力されるＳＩＴパケットでリプレースすることができる機器である。
【０１４３】
このような構成を有する、本実施の形態２におけるデジタル放送システム５１の動作について、図６も参照しながら説明する。ただし、図６は、放送されるトランスポート・ストリーム９４から、パケット多重分離部６６において処理されたトランスポート・ストリーム９５を経て、記録用のトランスポート・ストリーム９６が生成される過程を説明する概念図である。
【０１４４】
ここで、本実施の形態２における送信システム５２の動作について、詳細に説明する。
【０１４５】
符号化部８は、番組Ａのコンテンツをもつパケット８０、８８からなるパケット・ストリーム、および番組Ｂのコンテンツをもつパケット８１、８５、８９からなるパケット・ストリームを生成して、これらをパケット多重化部１０に出力する。
【０１４６】
番組選択関連データ生成部５９は、ＰＡＴパケット８２、ＰＭＴパケット８７、ＮＩＴパケット８４、ＳＤＴパケット８６、ＥＩＴパケット８３からなるパケット・ストリームを生成して、これらをパケット多重化部１０に出力する。
【０１４７】
パケット多重化部１０は、符号化部８から出力されるパケット・ストリームと、番組選択関連データ生成部５９から出力されるパケット・ストリームとを多重化することにより、トランスポート・ストリーム９４を生成して、これを伝送路符号化部１１に出力する。
【０１４８】
伝送路符号化部１１は、パケット多重化部１０から出力されるトランスポート・ストリームに誤り訂正符号付加、インターリーブ処理、同期信号付加を行い、これを変調部１２に出力する。
【０１４９】
変調部１２は、伝送路符号化部１１から出力されるトランスポート・ストリームを変調し、電波９７を送信する。
【０１５０】
衛星中継器６は、電波９７を受信し、電波９８を送信する。
【０１５１】
つぎに、本実施の形態２における受信システム５３の動作について、詳細に説明する。
【０１５２】
受信システム５３は、外部からの指示により、番組Ａを本実施の形態２における記録番組として選択することにより、受信動作を開始する。すなわち、受信システム５３は、衛星中継器６から電波９８を受信し、そのトランスポート・ストリーム中のＰＡＴ内の情報を参照して、ＰＭＴを検出する。ＰＩＤ指定部７８は、番組選択関連データ生成部５９より出力されるＳＩＴ記録頻度データを参照して、非記録番組である番組Ｂのコンテンツをもつパケット８５のＰＩＤを適切に認識し、第一のリプレースＰＩＤ格納器１７、第二のリプレースＰＩＤ格納器２４への信号出力を行う。また、ＰＩＤ指定部７８は、記録ＰＩＤ格納器１８、ＮＩＴ  ＰＩＤ格納器２３への信号出力も行う。
【０１５３】
記録ＰＩＤ格納器１８は、ＰＩＤ指定部７８から信号を入力し、番組Ａのコンテンツをもつパケット８０、８８のＰＩＤを格納する。また、第一のリプレースＰＩＤ格納器６７は、ＰＩＤ指定部７８から信号を入力し、非記録番組である番組Ｂのコンテンツをもつパケット８５のＰＩＤを適切に格納する。また、ＮＩＴＰＩＤ格納器２３は、ＰＩＤ指定部７８から信号を入力し、ＮＩＴパケット８４のＰＩＤを格納する。また、第二のリプレースＰＩＤ格納器７４は、ＰＩＤ指定部７８から信号を入力し、番組Ｂのコンテンツをもつパケット８５のＰＩＤを適切に格納する。
【０１５４】
なお、ＰＩＤ指定部７８は、ＳＩＴ記録頻度データの参照により、番組Ｂのコンテンツをもつパケット８１、８９のＰＩＤを、リプレースＰＩＤに指定しない。したがって、番組Ｂのコンテンツをもつパケット８１、８９のＰＩＤは、第一のリプレースＰＩＤ格納器６７に格納されない。また、番組Ｂのコンテンツをもつパケット８１、８９のＰＩＤは、第二のリプレースＰＩＤ格納器７４に格納されない。
【０１５５】
受信部１３は、電波９８を受信し、これを復調部１４に出力する。
【０１５６】
復調部１４は、受信部１３で受信された電波９８を復調して得られるトランスポート・ストリームを、伝送路復号部１５に出力する。
【０１５７】
伝送路復号部１５は、復調部１４より出力されたトランスポート・ストリームに誤り訂正を行い、トランスポート・ストリーム９４を復元して、これをＰＩＤフィルタ６９に出力する。
【０１５８】
すでに説明されたように、記録ＰＩＤ格納器１８は、番組Ａのコンテンツをもつパケット８０、８８のＰＩＤを格納している。また、第一のリプレースＰＩＤ格納器６７は、非記録番組である番組Ｂのコンテンツをもつパケット８５のＰＩＤを、リプレースＰＩＤとして適切に格納している（番組Ｂのコンテンツをもつパケット８１、８９のＰＩＤは、リプレースＰＩＤに指定されていない）。
【０１５９】
したがって、記録ＰＩＤ格納器１８は、番組Ａのコンテンツをもつパケット８０、８８を、ＰＩＤフィルタ６９に指摘することが可能である。また、第一のリプレースＰＩＤ格納器６７は、番組Ｂのコンテンツをもつパケット８５を、ＰＩＤフィルタ６９に指摘することが可能である。
【０１６０】
ＰＩＤフィルタ６９は、伝送路復号部６５から出力されるトランスポート・ストリーム９４から、記録ＰＩＤ格納器１８によって指摘される番組Ａのコンテンツをもつパケット８０、８８、第一のリプレースＰＩＤ格納器６７によって指摘される番組Ｂのコンテンツをもつパケット８５を抽出する。また、ＰＩＤフィルタ６９は、伝送路復号部１５から出力されるトランスポート・ストリーム９４から、ＰＡＴパケット８２、ＰＭＴパケット８７、ＮＩＴパケット８４、ＳＤＴパケット８６、ＥＩＴパケット８３を抽出する。
【０１６１】
ＰＩＤフィルタ６９は、このようにして、ＳＤＴ、ＥＩＴをＳＩＴ生成処理部７１に出力する。また、ＰＩＤフィルタ６９は、番組Ａのコンテンツをもつパケット８０、８８、番組Ｂのコンテンツをもつパケット８５、ＰＡＴパケット８２、ＰＭＴパケット８７、ＮＩＴパケット８４、ＳＤＴパケット８６、ＥＩＴパケット８３から構成されるトランスポート・ストリーム９５を、出力切り替え回路２０に出力する。
【０１６２】
ＳＩＴ生成処理部２１は、ＰＩＤフィルタ６９から出力されるＳＤＴ、ＥＩＴを入力し、ＳＩＴパケット９１、９２を生成処理して、それらをＳＩＴ格納器７５に出力する。ＳＩＴ格納器２５は、ＳＩＴ生成処理部２１から出力されるＳＩＴパケット９１、９２を、ＳＩＴパケット置換器７６に出力する。
【０１６３】
出力切り替え回路２０は、ＰＩＤフィルタ６９から出力されるトランスポート・ストリーム９５を入力する。
【０１６４】
出力切り替え回路２０における出力切り替えが表示用になっているとき、出力切り替え回路２０は、表示用のトランスポート・ストリームを、復号部２７に出力する。  復号部２７は、出力切り替え回路２０から出力される表示用のトランスポート・ストリームを伸張し、それを再生装置４に信号出力する。
【０１６５】
再生装置４は、復号部２７から出力される信号を入力し、番組Ａを構成する映像、音声を再生する。
【０１６６】
出力切り替え回路２０における出力切り替えが記録用になっているとき、出力切り替え回路７０は、トランスポート・ストリーム９５を、ＳＩＴパケット置換器７６に出力する。
【０１６７】
すでに説明されたように、ＮＩＴ  ＰＩＤ格納器２３は、ＮＩＴパケット８４のＰＩＤを格納している。また、第二のリプレースＰＩＤ格納器７４は、番組Ｂのコンテンツをもつパケット８５のＰＩＤを、適切に格納している。
【０１６８】
ＳＩＴパケット置換器７６は、出力切り替え回路２０から出力されるトランスポート・ストリーム９５を入力する。ＳＩＴパケット置換器７６は、ＮＩＴ  ＰＩＤ格納器２３によって指摘されるＮＩＴパケット８４を、ＳＩＴ格納器２５から出力されるＳＩＴパケット９１によってリプレースする。また、ＳＩＴパケット置換器７６は、第二のリプレースＰＩＤ格納器７４によって指摘される番組Ｂのコンテンツをもつパケット８５を、ＳＩＴ格納器２５から出力されるＳＩＴパケット９２によってリプレースする。
【０１６９】
ＳＩＴパケット置換器７６は、このようにして、ＳＩＴパケット９１によるＮＩＴパケット８４のリプレース、およびＳＩＴパケット９２による番組Ｂのコンテンツをもつパケット８５のリプレースを行い、パケット改変部２９に信号を出力する。
【０１７０】
パケット改変部２９は、ＳＩＴパケット置換器７６から出力された信号を入力し、ＰＡＴパケット８２を改ＰＡＴパケット９０に改変し、ＰＭＴパケット８７を改ＰＭＴパケット９３に改変する。また、パケット改変部２９は、ＳＤＴパケット８６、ＥＩＴパケット８３を破棄する。パケット改変部２９は、このようにして、記録用のトランスポート・ストリーム９６を生成し、これを記録装置５に出力する。
【０１７１】
記録装置５は、パケット改変部２９から出力されるトランスポート・ストリーム９６を入力し、これを記録する。
【０１７２】
なお、本発明におけるリプレースＰＩＤは、上述した本実施の形態２におけるように非記録ＰＩＤの全部または一部である必要はなく、ＳＤＴ  ＰＩＤ、あるいはＥＩＴ  ＰＩＤであってもよい。
【０１７３】
このように、ＳＩＴの適切な記録頻度を指示するＳＩＴ記録頻度データを送出し、非記録番組のコンテンツをもつパケットを、ＳＩＴパケットでリプレースすることのできるリプレース・パケットとして利用することにより、リプレース・パケットとしてのＮＩＴパケットの伝送頻度が不十分であるという課題が解決されている。
【０１７４】
（実施の形態３）
はじめに、図７を参照しながら、本実施の形態３におけるデジタル放送システムの構成について説明する。ただし、図７は、本実施の形態３におけるデジタル放送システム１０１の構成図である。
【０１７５】
デジタル放送システム１０１は、トランスポート・ストリームを生成して送信する送信システム１０２と、トランスポート・ストリームを受信して、ディスプレイ４あるいは記録装置５に出力するための受信システム１０３とを備えている。
【０１７６】
本実施の形態３における送信システム１０２は、従来の技術における送信システムと同じである。
【０１７７】
そこで、本実施の形態３における受信システム１０３の構成について、図７を参照しながら説明する。
【０１７８】
受信システム１０３は、パケット多重分離部１１６、ストリーム送出処理部１２２などをもつシステムである。
【０１７９】
パケット多重分離部１１６は、ＰＩＤフィルタ１１９などを有する部分である。
【０１８０】
ＰＩＤ指定部１２８は、非記録番組のコンテンツをもつパケットのＰＩＤ（以下非記録ＰＩＤともいう）、およびＥＩＴ  ＰＩＤ（すなわちＥＩＴパケットのＰＩＤ）を、第一のリプレースＰＩＤ格納器１１７、および第二のリプレースＰＩＤ格納器１２４に指定することができる部分である。
【０１８１】
第一のリプレースＰＩＤ格納器１１７は、ＰＩＤ指定部１２８から信号を入力し、非記録ＰＩＤ、およびＥＩＴ  ＰＩＤを格納する機器である。なお、第一のリプレースＰＩＤ格納器１１７に格納されている非記録ＰＩＤ、およびＥＩＴ  ＰＩＤは、第二のリプレースＰＩＤ格納器１２４に格納されている非記録ＰＩＤ、およびＥＩＴ  ＰＩＤと同じものである。
【０１８２】
ＰＩＤフィルタ１１９は、伝送路復号部１５から出力されるトランスポート・ストリームから、記録ＰＩＤ格納器１８によって指摘される記録番組のコンテンツをもつパケット、第一のリプレースＰＩＤ格納器１１７によって指摘される非記録番組のコンテンツをもつパケット、第一のリプレースＰＩＤ格納器１１７によって指摘されるＥＩＴパケット、プログラム仕様情報をもつパケット、およびサービス情報をもつパケットを、それぞれ抽出する機器である。
【０１８３】
ストリーム送出処理部１２２は、ＳＩＴパケット置換器１２６などを有する部分である。
【０１８４】
第二のリプレースＰＩＤ格納器１２４は、ＰＩＤ指定部１２８から信号を入力し、非記録ＰＩＤ、およびＥＩＴ  ＰＩＤを格納する機器である。なお、第二のリプレースＰＩＤ格納器１２４に格納されている非記録ＰＩＤ、およびＥＩＴ  ＰＩＤは、第一のリプレースＰＩＤ格納器１１７に格納されている非記録ＰＩＤ、およびＥＩＴ  ＰＩＤと同じものである。
【０１８５】
ＳＩＴパケット置換器１２６は、ＮＩＴ  ＰＩＤ格納器２３によって指摘されるＮＩＴパケット、第二のリプレースＰＩＤ格納器１２４によって指摘される非記録番組のコンテンツをもつパケット、および第二のリプレースＰＩＤ格納器１２４によって指摘されるＥＩＴパケットを、ＳＩＴ格納器２５から出力されるＳＩＴパケットでリプレースすることができる機器である。
【０１８６】
パケット改変部１２９は、ＳＩＴパケット置換器１２６から出力された信号を入力し、パケットの改変を行って、記録用のトランスポート・ストリームを作成することができる部分である。
【０１８７】
このような構成を有する、本実施の形態３におけるデジタル放送システム１０１の動作について、図８も参照しながら説明する。ただし、図８は、放送されるトランスポート・ストリーム１４４から、パケット多重分離部１１６において処理されたトランスポート・ストリーム１４５を経て、記録用のトランスポート・ストリーム１４６が生成される過程を説明する概念図である。
【０１８８】
本実施の形態３における送信システム１０２の動作は、従来の技術における送信システムの動作と同じである。
【０１８９】
そこで、本実施の形態３における受信システム１０３の動作について、詳細に説明する。
【０１９０】
受信システム１０３は、外部からの指示により、番組Ａを本実施の形態３における記録番組として選択することにより、受信動作を開始する。すなわち、受信システム１０３は、衛星中継器６から電波１４８を受信し、そのトランスポート・ストリーム中のＰＡＴ内の情報を参照して、ＰＭＴを検出する。ＰＩＤ指定部１２８は、非記録番組である番組Ｂのコンテンツをもつパケット１３１、１３５、１３９、およびＥＩＴパケット１３３のＰＩＤを認識し、第一のリプレースＰＩＤ格納器１１７、第二のリプレースＰＩＤ格納器１２４への信号出力を行う。また、ＰＩＤ指定部１２８は、記録ＰＩＤ格納器１８、ＮＩＴ  ＰＩＤ格納器２３への信号出力も行う。
【０１９１】
記録ＰＩＤ格納器１８は、ＰＩＤ指定部１２８から信号を入力し、番組Ａのコンテンツをもつパケット１３０、１３８のＰＩＤを格納する。また、第一のリプレースＰＩＤ格納器１１７は、ＰＩＤ指定部１２８から信号を入力し、番組Ｂのコンテンツをもつパケット１３１、１３５、１３９のＰＩＤ、およびＥＩＴパケット１３３のＰＩＤを格納する。また、ＮＩＴ  ＰＩＤ格納器２３は、ＰＩＤ指定部１２８から信号を入力し、ＮＩＴパケット１３４のＰＩＤを格納する。また、第二のリプレースＰＩＤ格納器１２４は、ＰＩＤ指定部２８から信号を入力し、番組Ｂのコンテンツをもつパケット１３１、１３５、１３９のＰＩＤ、およびＥＩＴパケット１３３のＰＩＤを格納する。
【０１９２】
受信部１３は、電波１４８を受信し、これを復調部１４に出力する。
【０１９３】
復調部１４は、受信部１３で受信された電波１４８を復調して得られるトランスポート・ストリームを、伝送路復号部１５に出力する。
【０１９４】
伝送路復号部１５は、復調部１４より出力されたトランスポート・ストリームに誤り訂正を行い、トランスポート・ストリーム１４４を復元して、これをＰＩＤフィルタ１１９に出力する。
【０１９５】
ＰＩＤフィルタ１１９は、伝送路復号部１５から出力されるトランスポート・ストリーム１４４から、記録ＰＩＤ格納器１８によって指摘される番組Ａのコンテンツをもつパケット１３０、１３８、第一のリプレースＰＩＤ格納器１１７によって指摘される番組Ｂのコンテンツをもつパケット１３１、１３５、１３９のＰＩＤ、および第一のリプレースＰＩＤ格納器１１７によって指摘されるＥＩＴパケット１３３を抽出する。また、ＰＩＤフィルタ１１９は、伝送路復号部１５から出力されるトランスポート・ストリーム１４４から、ＰＡＴパケット１３２、ＰＭＴパケット１３７、ＮＩＴパケット１３４、ＳＤＴパケット１３６、ＥＩＴパケット１３３を抽出する。
【０１９６】
ＰＩＤフィルタ１１９は、このようにして、ＳＤＴ、ＥＩＴをＳＩＴ生成処理部２１に出力する。また、ＰＩＤフィルタ１１９は、番組Ａのコンテンツをもつパケット１３０、１３８、番組Ｂのコンテンツをもつパケット１３１、１３５、１３９、ＰＡＴパケット１３２、ＰＭＴパケット１３７、ＮＩＴパケット１３４、ＳＤＴパケット１３６、ＥＩＴパケット１３３から構成されるトランスポート・ストリーム１４５を、出力切り替え回路２０に出力する。
【０１９７】
ＳＩＴ生成処理部２１は、ＰＩＤフィルタ１１９から出力されるＳＤＴ、ＥＩＴを入力し、ＳＩＴパケット１４１、１４２を生成処理して、それらをＳＩＴ格納器２５に出力する。ＳＩＴ格納器２５は、ＳＩＴ生成処理部２１から出力されるＳＩＴパケット１４１、１４２を、ＳＩＴパケット置換器１２６に出力する。
【０１９８】
出力切り替え回路２０は、ＰＩＤフィルタ１１９から出力されるトランスポート・ストリーム１４５を入力する。
【０１９９】
出力切り替え回路２０における出力切り替えが表示用になっているとき、出力切り替え回路２０は、表示用のトランスポート・ストリームを、復号部２７に出力する。
【０２００】
復号部２７は、出力切り替え回路２０から出力される表示用のトランスポート・ストリームを伸張し、それをディスプレイ４に信号出力する。
【０２０１】
ディスプレイ４は、復号部２７から出力される信号を入力し、番組Ａを構成する映像、音声を表示する。
【０２０２】
出力切り替え回路２０における出力切り替えが記録用になっているとき、出力切り替え回路２０は、トランスポート・ストリーム１４５を、ＳＩＴパケット置換器１２６に出力する。
【０２０３】
ＳＩＴパケット置換器１２６は、出力切り替え回路２０から出力されるトランスポート・ストリーム１４５を入力する。ＳＩＴパケット置換器１２６は、ＮＩＴパケット１３４、番組Ｂのコンテンツをもつパケット１３１、１３５、１３９、ＥＩＴパケット１３３を、ＳＩＴパケット１４１、１４２で実際にリプレースするか否かを決定する。
【０２０４】
すなわち、ＳＩＴパケット置換器１２６は、ＮＩＴ  ＰＩＤ格納器２３によって指摘されるＮＩＴパケット１３４を、ＳＩＴ格納器２５から出力されるＳＩＴパケット１４１によってリプレースする。また、ＳＩＴパケット置換器１２６は、第二のリプレースＰＩＤ格納器１２４によって指摘されるＥＩＴパケット１３３を、ＳＩＴ格納器２５から出力されるＳＩＴパケット１４２によってリプレースする。そして、ＳＩＴパケット置換器１２６は、番組Ｂのコンテンツをもつパケット１３１、１３５、１３９を、ＳＩＴパケットによってリプレースしない（すでに述べられたように、ＥＩＴパケットの伝送頻度が十分であるために、非記録番組のコンテンツをもつパケットは、リプレース・パケットとして使用されないことがある）。
【０２０５】
ＳＩＴパケット置換器１２６は、このようにして、ＳＩＴパケット１４２によるＮＩＴパケット１３４のリプレース、およびＳＩＴパケット１４１によるＥＩＴパケット１３３のリプレースを行い、パケット改変部１２９に信号を出力する。
【０２０６】
パケット改変部１２９は、ＳＩＴパケット置換器１２６から出力された信号を入力し、ＰＡＴパケット１３２を改ＰＡＴパケット１４０に改変し、ＰＭＴパケット１３７を改ＰＭＴパケット１４３に改変する。また、パケット改変部２９は、ＳＤＴパケット１３６、ＥＩＴパケット１３３、番組Ｂのコンテンツをもつパケット１３１、１３５、１３９を破棄する。パケット改変部１２９は、このようにして、記録用のトランスポート・ストリーム１４６を生成し、これを記録装置５に出力する。
【０２０７】
記録装置５は、パケット改変部１２９から出力されるトランスポート・ストリーム１４６を入力し、これを記録する。
【０２０８】
なお、本発明におけるＳＩＴパケット置換器１２６は、上述した本実施の形態３におけるように、指定されたリプレースＰＩＤをもつパケットの中から適切に選択されたリプレース・パケットを、ＳＩＴパケットで過不足なくリプレースする必要はなく、指定されたリプレースＰＩＤをもつ全パケットの中から所定の割合だけ選択されたリプレース・パケットを、ＳＩＴパケットでリプレースしてもよい。
【０２０９】
このように、ＳＩＴパケット置換器に、ＳＩＴパケットによるリプレースを実際に行うか否かを決定する能力を付与し、非記録番組のコンテンツをもつパケット、およびＥＩＴパケットを、ＳＩＴパケットでリプレースすることのできるリプレース・パケットとして利用することにより、リプレース・パケットとしてのＮＩＴパケットの伝送頻度が不十分であるという課題が解決されている。
【０２１０】
なお、上述した実施の形態において、ＰＩＤフィルタとＳＩＴパケット置換器を合わせた部材は、（特許請求の範囲）に述べられているパケット抽出置換部に対応している。
【０２１１】
また、本発明におけるパケット・ストリームは、上述した実施の形態におけるように十個のパケットから構成されている必要はなく、任意の個数のパケットから構成されていてもよい。
【０２１２】
また、本発明における番組は、上述した実施の形態におけるように二個だけ放送されている必要はなく、任意の個数だけ放送されていてもよい。
【０２１３】
また、本発明におけるリプレースＰＩＤ格納器は、上述した実施の形態におけるように二個設けられている必要はなく、一個だけ設けられていてもよい。
【０２１４】
また、本発明におけるデジタル放送は、上述した実施の形態におけるように通信衛星を利用する放送である必要はなく、光ファイバや同軸ケーブルを利用する有線放送、あるいは無線放送であってもよい。
【０２１５】
また、本発明におけるデジタル放送は、上述した実施の形態におけるような番組の放送である必要はなく、パソコンゲームやカラオケの放送であってもよい。
【０２１６】
【発明の効果】
以上の説明から明らかなように、本発明は、たとえば、ＳＩＴパケットでリプレースすることのできるリプレース・パケットを確実に確保できるという長所を有する。
より具体的には、請求項１に対応する第一の本発明は、ＳＩＴパケットでリプレースすることのできるリプレース・パケットを確実に確保できることを特徴とする受信システムを提供することができる。
【０２１７】
請求項２に対応する第二の本発明は、上記効果に加えて、各番組用のリプレース・パケットを確保できることを特徴とする受信システムを提供することができる。
【０２１８】
請求項３に対応する第三の本発明は、上記効果に加えて、リプレース・パケットを、送信システムの指示によって確保できることを特徴とする受信システムを提供することができる。
【０２１９】
請求項４に対応する第四の本発明は、上記効果に加えて、リプレース・パケットを、送信システムの指示によって十分に確保できることを特徴とする受信システムを提供することができる。
【０２２０】
請求項５に対応する第五の本発明は、上記効果に加えて、リプレース・パケットを、送信システムの関与なしに、受信システムの判断によって確保できることを特徴とする受信システムを提供することができる。
【０２２１】
請求項６に対応する第六の本発明は、各番組用のリプレース・パケットを確実に確保できることを特徴とするデジタル放送システムを提供することができる。
【図面の簡単な説明】
【図１】本発明の実施の形態１で説明されるデジタル放送システムの構成図である。
【図２】本発明の実施の形態１で説明される送信システムの構成図である。
【図３】本発明の実施の形態１で説明される受信システムの構成図である。
【図４】本発明の実施の形態１で説明される記録用のトランスポート・ストリームが生成される過程を説明する概念図である。
【図５】本発明の実施の形態２で説明されるデジタル放送システムの構成図である。
【図６】本発明の実施の形態２で説明される記録用のトランスポート・ストリームが生成される過程を説明する概念図である。
【図７】本発明の実施の形態３で説明されるデジタル放送システムの構成図である。
【図８】本発明の実施の形態３で説明される記録用のトランスポート・ストリームが生成される過程を説明する概念図である。
【図９】従来の技術によるデジタル放送システムの構成図である。
【図１０】従来の技術による記録用のトランスポート・ストリームが生成される過程を説明する概念図である。
【符号の説明】
１  デジタル放送システム
２  送信システム
３  受信システム
４  ディスプレイ
５  記録装置
６  衛星中継器（トランスポンダ）
７  通信衛星
８  符号化部
９  番組選択関連データ生成部
１０  パケット多重化部
１１  伝送路符号化部
１２  変調部
１３  受信部
１４  復調部
１５  伝送路復号部
１６  パケット多重分離部
１７  第一のリプレースＰＩＤ格納器
１８  記録ＰＩＤ格納器
１９  ＰＩＤフィルタ
２０  出力切り替え回路
２１  ＳＩＴ生成処理部
２２  ストリーム送出処理部
２３  ＮＩＴ  ＰＩＤ格納器
２４  第二のリプレースＰＩＤ格納器
２５  ＳＩＴ格納器
２６  ＳＩＴパケット置換器
２７  復号部
２８  ＰＩＤ指定部
２９  パケット改変器
５１  デジタル放送システム
５２  送信システム
５３  受信システム
５９  番組選択関連データ生成部
６６  パケット多重分離部
６７  第一のリプレースＰＩＤ格納器
６９  ＰＩＤフィルタ
７２  ストリーム送出処理部
７４  第二のリプレースＰＩＤ格納器
７６  ＳＩＴパケット置換器
７８  ＰＩＤ指定部
１０１  デジタル放送システム
１０２  送信システム
１０３  受信システム
１０９  番組選択関連データ生成部
１１６  パケット多重分離部
１１７  第一のリプレースＰＩＤ格納器
１１９  ＰＩＤフィルタ
１２２  ストリーム送出処理部
１２４  第二のリプレースＰＩＤ格納器
１２６  ＳＩＴパケット置換器
１２８  ＰＩＤ指定部
１２９  パケット改変器
１５１  デジタル放送システム
１５３  受信システム
１６６  パケット多重分離部
１６９  ＰＩＤフィルタ
１７２  ストリーム送出処理部
１７６  ＳＩＴパケット置換器
【図１】
0004242613.tif 000002
【図２】
0004242613.tif 000003
【図３】
0004242613.tif 000004
【図４】
0004242613.tif 000005
【図５】
0004242613.tif 000006
【図６】
0004242613.tif 000007
【図７】
0004242613.tif 000008
【図８】
0004242613.tif 000009
【図９】
0004242613.tif 000010
【図１０】
0004242613.tif 000011